(57)【要約】  光ファイバの状態を検知することを目的として、検知システムは、光ファイバの基端部側に入力される、互いに波長および該光ファイバの曲げ損失が異なる複数の試験光を出力する少なくとも一つの光源と、光ファイバを伝搬した試験光のそれぞれを該光ファイバの先端部側で反射する少なくとも一つの反射体と、少なくとも一つの反射体により反射された光である複数の反射光のそれぞれを基端部側で受光する複数の受光部と、複数の受光部のそれぞれにおける反射光の情報に基づいて、反射光の情報と参照設定値とを比較する判断部と、を備える。
2019230713.tif 000002
【特許請求の範囲】
【請求項１】
光ファイバの基端部側に入力される、互いに波長および該光ファイバの曲げ損失が異なる複数の試験光を出力する少なくとも一つの光源と、
前記光ファイバを伝搬した前記試験光のそれぞれを該光ファイバの先端部側で反射する少なくとも一つの反射体と、
前記少なくとも一つの反射体により反射された光である複数の反射光のそれぞれを前記基端部側で受光する複数の受光部と、
前記複数の受光部のそれぞれにおける前記反射光の情報に基づいて、前記反射光の情報と参照設定値とを比較する判断部と、
を備えることを特徴とする検知システム。
【請求項２】
前記反射光の情報は前記受光部における前記反射光の受光強度を含み、前記参照設定値は前記受光強度の閾値であって、
前記判断部は、前記反射光の受光強度に基づいて、前記光ファイバが曲がっているか折れているかを判断する
ことを特徴とする請求項１に記載の検知システム。
【請求項３】
前記判断部は、前記複数の反射光のうち第１試験光の反射光である第１反射光の受光強度が第１閾値以下の場合は、前記光ファイバが折れていると判断し、前記第１反射光の受光強度が前記第１閾値より大きい場合は、前記光ファイバが折れていないと判断し、前記第１反射光の受光強度が前記第１閾値より大きく、前記複数の反射光のうち前記第１試験光よりも前記光ファイバにおける曲げ損失が大きい第２試験光の反射光である第２反射光の受光強度が第２閾値以下の場合は、前記光ファイバが所定の曲げ量以上に曲がっていると判断する
ことを特徴とする請求項２に記載の検知システム。
【請求項４】
前記判断部は、前記複数の反射光のうち第２試験光の反射光である第２反射光の受光強度が急激に低下した場合、前記複数の反射光のうち前記第２試験光よりも前記光ファイバにおける曲げ損失が小さい第１試験光の反射光である第１反射光の受光強度が第１閾値以下のときは、前記光ファイバが折れていると判断し、前記第１反射光の受光強度が第１閾値より大きいときは、前記光ファイバが曲がっていると判断する
ことを特徴とする請求項２に記載の検知システム。
【請求項５】
前記第２反射光の受光強度が急激に低下した場合、前記第１反射光の受光強度が第１閾値より大きいときに、前記第２反射光の低下の状態から曲げ量に関する情報を得る
ことを特徴とする請求項４に記載の検知システム。
【請求項６】
前記反射体を複数備え、その少なくとも一つがファイバブラッググレーティングによって構成されていることを特徴とする請求項１〜５のいずれか一つに記載の検知システム。
【請求項７】
前記反射体を複数備え、その少なくとも一つが反射膜によって構成されていることを特徴とする請求項１〜５のいずれか一つに記載の検知システム。
【請求項８】
前記複数の受光部の少なくとも一つは、フォトダイオードによって構成されている
ことを特徴とする請求項１〜７のいずれか一つに記載の検知システム。
【請求項９】
請求項１〜８のいずれか一つに記載の検知システムと、
前記複数の試験光が基端部側から入力されるとともに、前記少なくとも一つの反射体が先端部側に設けられた前記光ファイバと、
前記光ファイバの少なくとも一部が挿入されるカテーテル本体と、を備える
ことを特徴とするカテーテル装置。
【請求項１０】
請求項９に記載のカテーテル装置と、
前記光ファイバの基端部側に入力される、焼灼用のレーザ光を出力するレーザ光源と、を備える
ことを特徴とするレーザ焼灼装置。
【発明の詳細な説明】
【技術分野】
【０００１】
本発明は、検知システム、カテーテル装置、およびレーザ焼灼装置に関する。
【背景技術】
【０００２】
光ファイバが挿入されたカテーテルを患者の体内に挿入し、治療を行う技術が知られている。このような技術は、たとえばレーザ焼灼装置において用いられる。レーザ焼灼装置では、カテーテルを患者の体内に挿入し、光ファイバの先端から焼灼用のレーザ光を出力させて患部などの対象箇所に向かって照射し、治療を行うものである。【０００３】
従来、体内に挿入する内視鏡などの管状体の湾曲を検知したり、湾曲形状を推定したりする技術が開示されている（特許文献１、２参照）。
【先行技術文献】
【特許文献】
【０００４】
【特許文献１】特開２００１−１６９９９８号公報
【特許文献２】特開２０１５−１８１６４３号公報
【発明の概要】
【発明が解決しようとする課題】
【０００５】
カテーテルに挿入された光ファイバが体内で屈曲した場合には、光ファイバの伝搬損失が増加し、光ファイバの先端から出力される焼灼用レーザ光の強度が低下する場合があるが、屈曲の程度によっては、その強度低下は問題ない程度の場合もある。一方、光ファイバが体内で折損した場合には、焼灼用レーザ光が光ファイバの先端から出力されなくなるし、折損が回復することはない。光ファイバが体内で折損した場合、不完全治療や対象箇所以外の部位の焼灼などが生じるおそれがある。これを防止するため、光ファイバの屈曲および折損を好適に検知する技術が求められている。しかしながら、光ファイバの状態を検知する技術、例えば屈曲と折損とを区別して検知する技術は開示されていなかった。【０００６】
さらに、人間などの生物の体内に光ファイバを備えたカテーテルが挿入された場合、光ファイバの状態のみならず、血圧や体温などの外圧や温度といった光ファイバの周囲の状態を検知することも求められていた。【０００７】
本発明は、上記に鑑みてなされたものであって、その目的は、光ファイバの状態や光ファイバの周囲の状態を検知できる検知システム、カテーテル装置、およびレーザ焼灼装置を提供することにある。
【課題を解決するための手段】
【０００８】
上述した課題を解決し、目的を達成するために、本発明の一態様に係る検知システムは、光ファイバの基端部側に入力される、互いに波長および該光ファイバの曲げ損失が異なる複数の試験光を出力する少なくとも一つの光源と、前記光ファイバを伝搬した前記試験光のそれぞれを該光ファイバの先端部側で反射する少なくとも一つの反射体と、前記少なくとも一つの反射体により反射された光である複数の反射光のそれぞれを前記基端部側で受光する複数の受光部と、前記複数の受光部のそれぞれにおける前記反射光の情報に基づいて、前記反射光の情報と参照設定値とを比較する判断部と、を備えることを特徴とする。【０００９】
本発明の一態様に係る検知システムは、前記反射光の情報は前記受光部における前記反射光の受光強度を含み、前記参照設定値は前記受光強度の閾値であって、前記判断部は、前記反射光の受光強度に基づいて、前記光ファイバが曲がっているか折れているかを判断することを特徴とする。【００１０】
本発明の一態様に係る検知システムは、前記判断部は、前記複数の反射光のうち第１試験光の反射光である第１反射光の受光強度が第１閾値以下の場合は、前記光ファイバが折れていると判断し、前記第１反射光の受光強度が前記第１閾値より大きい場合は、前記光ファイバが折れていないと判断し、前記第１反射光の受光強度が前記第１閾値より大きく、前記複数の反射光のうち前記第１試験光よりも前記光ファイバにおける曲げ損失が大きい第２試験光の反射光である第２反射光の受光強度が第２閾値以下の場合は、前記光ファイバが所定の曲げ量以上に曲がっていると判断することを特徴とする。【００１１】
本発明の一態様に係る検知システムは、前記判断部は、前記複数の反射光のうち第２試験光の反射光である第２反射光の受光強度が急激に低下した場合、前記複数の反射光のうち前記第２試験光よりも前記光ファイバにおける曲げ損失が小さい第１試験光の反射光である第１反射光の受光強度が第１閾値以下のときは、前記光ファイバが折れていると判断し、前記第１反射光の受光強度が第１閾値より大きいときは、前記光ファイバが曲がっていると判断することを特徴とする。【００１２】
本発明の一態様に係る検知システムは、前記第２反射光の受光強度が急激に低下した場合、前記第１反射光の受光強度が第１閾値より大きいときに、前記第２反射光の低下の状態から曲げ量に関する情報を得ることを特徴とする。【００１３】
本発明の一態様に係る検知システムは、前記反射体を複数備え、その少なくとも一つがファイバブラッググレーティングによって構成されていることを特徴とする。【００１４】
本発明の一態様に係る検知システムは、前記反射体を複数備え、その少なくとも一つが反射膜によって構成されていることを特徴とする。【００１５】
本発明の一態様に係る検知システムは、前記複数の受光部の少なくとも一つは、フォトダイオードによって構成されていることを特徴とする。【００１６】
本発明の一態様に係るカテーテル装置は、前記検知システムと、前記複数の試験光が基端部側から入力されるとともに、前記少なくとも一つの反射体が先端部側に設けられた前記光ファイバと、前記光ファイバの少なくとも一部が挿入されるカテーテル本体と、を備えることを特徴とする。【００１７】
本発明の一態様に係るレーザ焼灼装置は、前記カテーテル装置と、前記光ファイバの基端部側に入力される、焼灼用のレーザ光を出力するレーザ光源と、を備えることを特徴とする。
【発明の効果】
【００１８】
本発明によれば、光ファイバの状態や光ファイバの周囲の状態を検知できるという効果を奏する。
【図面の簡単な説明】
【００１９】
【図１】図１は、実施形態に係るレーザ焼灼装置の概略構成を示す模式図である。
【図２】図２は、光ファイバの曲げ損失特性の一例を説明する図である。
【図３】図３は、第１制御例のフロー図である。
【図４】図４は、第２制御例のフロー図である。
【図５】図５は、第３制御例のフロー図である。
【図６】図６は、第４制御例のフロー図である。
【発明を実施するための形態】
【００２０】
以下、添付図面を参照しながら、本発明の実施形態を詳細に説明する。なお、以下に説明する実施形態により本発明が限定されるものではない。また、図面の記載において、同一または対応する要素には適宜同一の符号を付している。
【００２１】
図１は、実施形態に係るレーザ焼灼装置の概略構成を示す模式図である。レーザ焼灼装置１０００は、不図示のレーザ光源と、不図示の焼灼レーザ用光合分波器と、カテーテル装置１００とを備えている。
【００２２】
レーザ光源は、光ファイバレーザなどのレーザ光源を備えており、焼灼用のレーザ光ＡＬを出力する。焼灼レーザ用光合分波器は、レーザ光ＡＬと後述する第１試験光、第２試験光とを合波して出力する。焼灼レーザ用光合分波器は、本実施形態では後述する光合分波器３ａと光合分波器３ｂとの間に置かれるが、光合分波器３ｂの後段に置かれてもよい。焼灼レーザ用光合分波器は、空間的に複数の光を合波するように構成してもよく、また光コンバイナなどによって合波するように構成してもよい。
【００２３】
カテーテル装置１００は、光ファイバに関する検知システム１０と、カテーテル部１１０とを備えている。カテーテル部１１０は、少なくとも一部が患者の体内に挿入されるものである。カテーテル部１１０は、樹脂などの可撓性を有する材質からなるカテーテル本体１２０と、カテーテル本体１２０のルーメンに少なくとも一部が挿入された光ファイバ１３０とを備えている。
【００２４】
光ファイバ１３０は、基端部１３１と先端部１３２とを有する。光ファイバ１３０は、たとえばステップインデックス型やグレーテッドインデックス型のマルチモード光ファイバや、コアが同心円状に複数設けられたマルチコア光ファイバであるが、特に限定されない。またカテーテル装置１００が血管に挿入する医療用カテーテル装置である場合、光ファイバ１３０は細径であるほうが好ましく、例えばコア径が１０５μｍ以下、クラッド径が１２５μｍ以下であるが、特には限定されない。
【００２５】
検知システム１０は、複数の光源および複数の受光部を備えている。本実施形態では、検知システム１０は、第１光源の機能を有するレーザダイオード（ＬＤ）１ａと、第２光源の機能を有するＬＤ１ｂと、第１受光部の機能を有するフォトダイオード（ＰＤ）２ａと、第２受光部の機能を有するＰＤ２ｂと、を備えている。また、検知システム１０は、光合分波器３ａ，３ｂ，３ｃと、バンドパスフィルタ４ａ，４ｂとを備える。さらに、検知システム１０は、制御部５と、表示部６と、ファイバブラッググレーティング（ＦＢＧ）７とを備えている。ＦＢＧ７は、光ファイバ１３０の先端部１３２側に設けられており、反射体として機能する。
【００２６】
ＬＤ１ａは、所定波長を有する第１試験光ＴＬ１を実線で示す光ファイバから出力する。ＬＤ１ｂは、第２試験光ＴＬ２を実線で示す光ファイバから出力する。第２試験光ＴＬ２は、光ファイバ１３０の曲げ損失が第１試験光ＴＬ１の波長における曲げ損失よりも大きい波長を有する。すなわち、第１試験光ＴＬ１と第２試験光ＴＬ２とは、互いに波長および光ファイバ１３０の曲げ損失が異なる。ここで、第２試験光ＴＬ２の波長λ２は、第１試験光ＴＬ１の波長λ１の整数倍（λ２＝ｎλ１、ｎは２以上の整数）にすることが好ましい。第１試験光ＬＴ１の波長λ１および第２試験光ＬＴ２の波長λ２は、反射体であるＦＢＧ７などにおける反射波長帯域の幅によって制限される。具体的に例えば、反射波長帯域が６３０〜６６０ｎｍである場合、第１試験光ＬＴ１の波長λ１は６３０〜６６０ｎｍ、第２試験光ＴＬ２の波長λ２は１２６０〜１３２０ｎｍにすることが好ましい。これにより、ＦＢＧ７や反射膜などを共有できる可能性が向上する。
【００２７】
図２は、光ファイバの１ターン当たりの曲げ損失特性の一例を説明する図である。光ファイバの曲げ損失は、たとえば所定の曲げ半径で曲げた場合の、１ターン当たりの伝送損失の増加量で定義される。ここで、１ターンとは、光ファイバを所定の曲げ半径で円状に１周巻いた状態を意味する。図２では、白丸が曲げ半径６ｍｍ（直径１２ｍｍ）の場合であり、黒四角が曲げ半径８ｍｍ（直径１６ｍｍ）の場合である。また、エラーバーは、白丸または黒四角の波長の前後１０点のデータ点から標準偏差を計算したものである。
【００２８】
図２に示すように、一般的に光ファイバの曲げ損失は波長が長くなる程大きくなる。したがって、第２試験光ＴＬ２の波長を第１試験光ＴＬ１の波長よりも長くすることで、光ファイバ１３０における第２試験光ＴＬ２の曲げ損失を第１試験光ＴＬ１の曲げ損失よりも大きくできる。
【００２９】
光ファイバ１３０における第２試験光ＴＬ２の曲げ損失が第１試験光ＴＬ１の曲げ損失よりも大きい場合、第２試験光ＴＬ２は、第１試験光ＴＬ１よりも、光ファイバ１３０の曲げに対して敏感であるといえる。同様に、第１試験光ＴＬ１は、第２試験光ＴＬ２よりも、光ファイバ１３０の曲げに対して鈍感であるといえる。なお、第１試験光ＴＬ１の波長は１３００ｎｍ以下であることが好ましく、可視光波長領域の波長であることがより好ましい。
【００３０】
第１試験光ＴＬ１の波長λ１、および第２試験光ＴＬ２の波長λ２の一例として、波長λ１を１３００ｎｍ帯の中に、波長λ２を１５００ｎｍ帯の中に設定可能である。図２から曲げ損失については１３００ｎｍ帯のほうが１５００ｎｍ帯に比べて小さいことがわかる（なお、帯域は、例えば１００ｎｍの帯域幅を有する。例えば１５００ｎｍ帯は１５００〜１６００ｎｍの帯域を指す）。
【００３１】
別の一例として、波長λ１を１０００ｎｍ帯の中に、波長λ２を１５００ｎｍ帯の中に設定することも可能である。この場合、後述するが第１試験光ＴＬ１の反射光を受光するＰＤ２ａの前段にあるバンドパスフィルタ４ａが不要になる。
【００３２】
図１に戻って、光合分波器３ａは、第１試験光ＴＬ１と第２試験光ＴＬ２とを所定の比、たとえば１：１の比で合波し、実線で示す光ファイバを介して焼灼レーザ用光合分波器に出力する。焼灼レーザ用光合分波器焼は、入力された第１試験光ＴＬ１および第２試験光ＴＬ２とレーザ光ＡＬとを合波して、実線で示す光ファイバを介して、光合分波器３ｂに出力する。光合分波器３ｂは、入力された第１試験光ＴＬ１と第２試験光ＴＬ２とレーザ光ＡＬとを、実線で示す光ファイバを介して光ファイバ１３０に出力する。これにより、第１試験光ＴＬ１、第２試験光ＴＬ２およびレーザ光ＡＬは、光ファイバ１３０の基端部１３１側に入力され、光ファイバ１３０を伝搬する。
【００３３】
ＦＢＧ７は、光ファイバ１３０の先端部１３２側に設けられており、たとえば光ファイバ１３０の先端部１３２に融着接続されている。ＦＢＧ７は、光ファイバ１３０を伝搬した第１試験光ＴＬ１と第２試験光ＴＬ２とを反射し、レーザ光ＡＬは透過する。これにより、レーザ光ＡＬは光ファイバ１３０の先端部１３２側（カテーテル部１１０の先端側）から出力される。
【００３４】
第１試験光ＴＬ１が反射された光である第１反射光ＲＬ１と第２試験光ＴＬ２が反射された光である第２反射光ＲＬ２とは、光ファイバ１３０を第１試験光ＴＬ１、第２試験光ＴＬ２とは反対方向に伝搬し、基端部１３１から光合分波器３ｂに出力される。光合分波器３ｂは、入力された第１反射光ＲＬ１と第２反射光ＲＬ２とを光合分波器３ｃに出力する。
【００３５】
光合分波器３ｃは、第１反射光ＲＬ１と第２反射光ＲＬ２とを分波して、実線で示す光ファイバを介して第１反射光ＲＬ１をバンドパスフィルタ４ａに出力する。また、光合分波器３ｃは、実線で示す光ファイバを介して第２反射光ＲＬ２をバンドパスフィルタ４ｂに出力する。バンドパスフィルタ４ａは、第１反射光ＲＬ１の波長の光を選択的に透過し、第２反射光ＲＬ２の波長の光は殆ど透過しないように設計されている。これにより、光合分波器３ｃによって分波できなかった第２反射光ＲＬ２の成分は、バンドパスフィルタ４ａによって遮断される。同様の理由で、バンドパスフィルタ４ｂは、第２反射光ＲＬ２の波長の光を選択的に透過し、第１反射光ＲＬ１の波長の光は殆ど透過しないように設計されている。
【００３６】
また、バンドパスフィルタ４ａ，４ｂはレーザ光ＡＬの波長の光も遮断するように構成されてもよい。レーザ光ＡＬのパワーが高い場合、ＦＢＧ７の端部においてレーザ光ＡＬが大気によりフレネル反射された光がＰＤ２ａ，２ｂに到達する可能性がある。これを除去するためにバンドパスフィルタ４ａ，４ｂが使用されてもよい。
【００３７】
ＰＤ２ａは、バンドパスフィルタ４ａを透過した第１反射光ＲＬ１を受光し、その受光強度に応じた電流信号を出力する。ＰＤ２ｂは、バンドパスフィルタ４ｂを透過した第２反射光ＲＬ２を受光し、その受光強度に応じた電流信号を出力する。
【００３８】
バンドパスフィルタ４ａ，４ｂは構成によっては不要となる場合もある。例えば光合分波器３ｂがＷＤＭカプラの場合、消光比が高く効率よく分波できるため、バンドパスフィルタ４ａ，４ｂは原理的には不要である。
【００３９】
あるいはＰＤ２ａ，２ｂのうちＰＤ２ａがＳｉで構成されたフォトダイオードでありＰＤ２ｂがＩｎＧａＡｓで構成されたフォトダイオードの場合を考える。一般にＳｉは１１００ｎｍ帯以上の波長では感度が極めて悪くなるため、例えば第１試験光ＴＬ１の波長λ１を８００ｎｍ帯の中にし、第２試験光のＴＬ２の波長λ２を１５００ｎｍ帯の中とした場合、８００ｎｍ帯の第１反射光ＲＬ１を受光するＳｉで構成されたフォトダイオードであるＰＤ２ａに対してバンドパスフィルタ４ａは不要である。
【００４０】
なお、光合分波器３ａ，３ｂ，３ｃは、５０：５０のＴＡＰカプラ、非対称ＴＡＰカプラ、ＷＤＭカプラ、あるいはこれらを適宜組み合わせたもので構成されることが好ましい。
【００４１】
制御部５は、判断部の機能を有している。制御部５は、演算部と、記憶部とを備えている。演算部は、制御部５が実行する制御や制御部の機能の実現のための各種演算処理を行うものであり、たとえばＣＰＵ（Central  Processing  Unit）やＦＰＧＡ（field-programmable  gate  array）、またはＣＰＵとＦＰＧＡの両方で構成される。記憶部は、演算部が演算処理を行うために使用する各種プログラムやデータなどが格納される、たとえばＲＯＭ（Read  Only  Memory）で構成される部分を備えている。また、記憶部は、演算部が演算処理を行う際の作業スペースや演算部の演算処理の結果などを記憶するなどのために使用される、たとえばＲＡＭ（Random  Access  Memory）で構成される部分を備えている。
【００４２】
また、制御部５は、ＰＤ２ａ，２ｂからの電流信号や、レーザ光源からの、レーザ光源の動作状態を示す動作状態信号の入力を受け付ける入力部を備えている。具体的に、ＰＤ２ａ，２ｂおよびバンドパスフィルタ４ａ，４ｂによって、制御部５は、反射光の情報として第１反射光ＲＬ１、第２反射光ＲＬ２の受光強度および反射波長の少なくとも一方を取得できる。すなわち、制御部５はＦＢＧ７による反射光の波長のシフトをモニタしていることになる。これにより、折損や曲げ量以外にも、ＦＢＧ７などの反射体で反射した反射光から情報を取得することによって、カテーテル部１１０が挿入された部分の温度（体温）や圧力（血圧）などもモニタ可能である。
【００４３】
また、制御部５は、各種演算処理の結果に基づいて、ＬＤ１ａ，１ｂへの駆動電流や、レーザ光源のレーザ光ＡＬの出力を停止するレーザ光出力停止信号や、表示部６への指示信号を出力する出力部を備えている。
【００４４】
表示部６は、制御部５からの指示信号に応じて、レーザ焼灼装置１０００のオペレータに対して各種情報を報知するための文字や記号などの表示を行う部分であり、たとえば液晶ディスプレイで構成される。
【００４５】
（第１制御例）
つぎに、制御部５が実行する制御の例について説明する。図３は、第１制御例のフロー図である。この制御フローは、制御部５がＬＤ１ａ，１ｂへ駆動電流を供給し、第１試験光ＴＬ１および第２試験光ＴＬ２が出力されている状態で実行される。
【００４６】
はじめに、ステップＳ１０１において、制御部５は、ＰＤ２ａ，２ｂからの電流信号に基づいて、第１反射光ＲＬ１の受光強度（以下、適宜、強度と記載する）と第２反射光ＲＬ２の受光強度とを検知する。つづいて、ステップＳ１０２において、制御部５は、第１反射光ＲＬ１の強度が第１閾値以下であるか否かを判定する。なお、参照設定値としての第１閾値は、光ファイバ１３０が折れていると判断できる程度の小さい値である。第１反射光ＲＬ１の強度が第１閾値以下である場合（ステップＳ１０２：Ｙｅｓ）は、制御はステップＳ１０３に進む。このとき、制御部５は、光ファイバ１３０が折れていると判断していることになる。
【００４７】
ステップＳ１０３において、制御部５は、レーザ光源からの動作状態信号に基づいて、レーザ光源からレーザ光ＡＬが出力されているか否かを判定する。レーザ光ＡＬが出力されている場合（ステップＳ１０３：Ｙｅｓ）は、制御はステップＳ１０４に進む。ステップＳ１０４において、制御部５は、レーザ光源にレーザ光出力停止信号を出力する。これにより、レーザ光ＡＬの出力が停止する。レーザ光ＡＬが出力されていない場合（ステップＳ１０３：Ｎｏ）、およびステップＳ１０４の終了後は、制御はステップＳ１０５に進む。
【００４８】
ステップＳ１０５において、制御部５は、表示部６へ指示信号を出力し、光ファイバ１３０の折損を報知するための文字や記号などを表示させる。その後制御は終了する。
【００４９】
一方、第１反射光ＲＬ１の強度が第１閾値より大きい場合（ステップＳ１０２：Ｎｏ）は、制御はステップＳ１０６に進む。このとき、制御部５は、光ファイバ１３０が折れていないと判断していることになる。
【００５０】
ステップＳ１０６において、制御部５は、第２反射光ＲＬ２の強度が所定の屈曲閾値以下であるか否かを判定する。第２反射光ＲＬ２の強度が所定の屈曲閾値以下の場合（ステップＳ１０６：Ｙｅｓ）、制御はステップＳ１０７に進む。ここで、屈曲閾値は、カテーテル部１１０が想定していない誤った部分に挿入されている場合の参照設定値である。なお、参照設定値は配列などによってテーブルまたは関数として制御部５の記憶部に記憶されている。これにより、制御部５は、入力された値から光ファイバ１３０の曲げ量を算出でき、曲げ量に関する参照設定値との比較によって曲げ量の大きさを判断できる。ここでは、制御部５は、光ファイバ１３０が想定される曲げ量以上の異常状態の曲げ量で曲がっていると判断していることになる。ここで、曲げ量とは、光ファイバ１３０の曲げの程度を示す量である。曲げ量は、たとえば光ファイバ１３０が曲がっていることによって生じる伝送損失（曲げ損失）の増加量として表すことができ、光ファイバ１３０の全長において生じている曲げ損失の総和として表すことができるものである。本実施形態において屈曲閾値は、例えば１ｄＢの曲げ損失を受けた場合の光強度に相当する値である。
【００５１】
ステップＳ１０７において、制御部５は、表示部６へ指示信号を出力し、光ファイバ１３０の曲げ量が異常状態であることを報知するための文字や記号などを表示させる。その後制御はステップＳ１０１に戻る。
【００５２】
一方、第２反射光ＲＬ２の強度が所定の屈曲閾値より大きい場合（ステップＳ１０６：Ｎｏ）、制御はステップＳ１０８に進む。ステップＳ１０８において、制御部５は、第２反射光ＲＬ２の強度が第２閾値以下であるか否かを判定する。第２反射光ＲＬ２の強度が第２閾値以下である場合（ステップＳ１０８：Ｙｅｓ）、制御はステップＳ１０９に進む。このとき、制御部５は、光ファイバ１３０が所定の曲げ量以上の曲げ量で曲がっていると判断していることになる。ここで、曲げ量の定義は、上述した定義と同様である。
【００５３】
ステップＳ１０９において制御部５は、表示部６へ指示信号を出力し、光ファイバ１３０の曲げ量が大きいことを報知するための文字や記号などを表示させる。その後制御はステップＳ１０１に戻る。一方、第２反射光ＲＬ２の強度が第２閾値より大きい場合（ステップＳ１０８：Ｎｏ）は、制御はステップＳ１０１に戻る。
【００５４】
第１制御例では、光ファイバ１３０の曲げに対して第２試験光ＴＬ２よりも鈍感である第１試験光ＴＬ１の受光強度が第１閾値以下である場合に、光ファイバ１３０が折れていると判断する。一方、第１試験光ＴＬ１の受光強度が第１閾値より大きい場合には、光ファイバ１３０は折れていないと判断する。これにより、光ファイバ１３０の折損と屈曲とを区別して検知できるという効果が得られる。判断を行うための参照設定値となる第１閾値は、事前実験などの結果によって、光ファイバ１３０が折れていると判断できる程度の小さい値に設定され、制御部５の記憶部に記憶されている。
【００５５】
また、第１制御例では、光ファイバ１３０が折れていると判断し、かつレーザ光ＡＬが出力されている場合は、レーザ光ＡＬの出力を停止する。これにより、光ファイバ１３０の折損箇所から意図せずレーザ光ＡＬが出力されることが防止されるという効果が得られる。また、光ファイバ１３０が折れていると判断した場合は、光ファイバ１３０の折損をレーザ焼灼装置１０００のオペレータに報知できるという効果が得られる。
【００５６】
また、カテーテル部１１０を人体や生物の体内に挿入した場合を想定すると、気道、食道、または血管が急激に曲がる箇所はほぼ共通である。そのため、カテーテル部１１０において通常想定される通過経路での光ファイバ１３０の曲げ損失はほぼ導出できる。この点から、通常想定される通過経路における光ファイバ１３０の曲げ損失以上の曲げ損失が生じた場合、カテーテル部１１０が本来挿入されることが想定されていない誤った部分に挿入されている可能性がある。そのため、第１制御例では、第１反射光ＲＬ１の受光強度が第１閾値より大きく、かつ第２反射光ＲＬ２の強度が屈曲閾値以下である場合に、カテーテル部１１０が誤った方向に挿入されて光ファイバ１３０が想定される曲げ量以上に急激に曲がっているか否か、または挿入した部分のいずれかの場所で引っかかって急な曲げが生じているか否かを検知できる。したがって、異常状態の曲げ量で曲がっていると判断した場合に、これをオペレータに報知でき、カテーテル部１１０を使用する際の安全性を向上できるという効果が得られる。なお、判断を行うための参照設定値となる屈曲閾値は、事前実験などの結果によって、光ファイバ１３０の曲げ量が、オペレータに異常状態を報知すべき程度である場合に相当する値に設定され、制御部５の記憶部に記憶されている。
【００５７】
また、第１制御例では、第１試験光ＴＬ１の受光強度が第１閾値より大きく、かつ第２反射光ＲＬ２の強度が屈曲閾値より大きく第２閾値以下である場合に、光ファイバ１３０が所定の曲げ量以上の曲げ量で曲がっていると判断し、これをオペレータに報知できるという効果が得られる。判断を行うための参照設定値となる第２閾値は、事前実験などの結果によって、光ファイバ１３０の曲げ量が、オペレータに報知すべき程度である場合に相当する値に設定され、制御部５の記憶部に記憶されている。
【００５８】
（第２制御例）
図４は、第２制御例のフロー図である。この制御フローは、制御部５がＬＤ１ａ，１ｂへ駆動電流を供給し、第１試験光ＴＬ１および第２試験光ＴＬ２が出力されている状態で実行される。
【００５９】
はじめに、ステップＳ２０１において、制御部５は、第１制御例のステップＳ１０１と同様に、第１反射光ＲＬ１の強度と第２反射光ＲＬ２の強度とを検知する。つづいて、ステップＳ２０２において、制御部５は、第１制御例のステップＳ１０２と同様に、第１反射光ＲＬ１の強度が第１閾値以下であるか否かを判定する。第１反射光ＲＬ１の強度が第１閾値以下である場合（ステップＳ２０２：Ｙｅｓ）は、制御はステップＳ２０３に進む。このとき、制御部５は、光ファイバ１３０が折れていると判断していることになる。
【００６０】
つづいて、ステップＳ２０３において、制御部５は、第２反射光ＲＬ２の強度が第３閾値以下であるか否かを判定する。第２反射光ＲＬ２の強度が第３閾値以下である場合（ステップＳ２０３：Ｙｅｓ）は、制御はステップＳ２０４に進む。このとき、制御部５は、光ファイバ１３０が折れているという判断を維持していることになる。
【００６１】
ステップＳ２０４において、制御部５は、第１制御例のステップＳ１０３と同様に、レーザ光ＡＬが出力されているか否かを判定する。レーザ光ＡＬが出力されている場合（ステップＳ２０４：Ｙｅｓ）は、制御はステップＳ２０５に進む。ステップＳ２０５において、制御部５は、第１制御例のステップＳ１０４と同様に、レーザ光源にレーザ光出力停止信号を出力する。レーザ光ＡＬが出力されていない場合（ステップＳ２０４：Ｎｏ）、またはステップＳ２０５の終了後は、制御はステップＳ２０６に進む。
【００６２】
ステップＳ２０６において、制御部５は、第１制御例のステップＳ１０５と同様に、表示部６に、光ファイバ１３０の折損を報知するための文字や記号などを表示させる。その後制御は終了する。
【００６３】
一方、第２反射光ＲＬ２の強度が第３閾値より大きい場合（ステップＳ２０３：Ｎｏ）は、制御はステップＳ２０７に進む。このとき、制御部５は、光ファイバ１３０が折れているという判断を取り消し、検知システム１０、カテーテル装置１００、またはレーザ焼灼装置１０００にシステム異常が発生していると判断していることになる。
【００６４】
ステップＳ２０７において、制御部５は、レーザ光ＡＬが出力されているか否かを判定する。レーザ光ＡＬが出力されている場合（ステップＳ２０７：Ｙｅｓ）は、制御はステップＳ２０８に進む。ステップＳ２０８において、制御部５は、レーザ光源にレーザ光出力停止信号を出力する。レーザ光ＡＬが出力されていない場合（ステップＳ２０７：Ｎｏ）、またはステップＳ２０８の終了後は、制御はステップＳ２０９に進む。
【００６５】
ステップＳ２０９において、制御部５は、表示部６へ指示信号を出力し、システム異常の発生を報知するための文字や記号などを表示させる。その後制御は終了する。
【００６６】
一方、第１反射光ＲＬ１の強度が第１閾値より大きい場合（ステップＳ２０２：Ｎｏ）は、制御はステップＳ２１０に進む。このとき、制御部５は、光ファイバ１３０が折れていないと判断していることになる。
【００６７】
つづいて、ステップＳ２１０において、制御部５は、第１制御例のステップＳ１０８と同様に、第２反射光ＲＬ２の強度が第２閾値以下であるか否かを判定する。第２反射光ＲＬ２の強度が第２閾値以下である場合（ステップＳ２１０：Ｙｅｓ）は、制御はステップＳ２１１に進む。このとき、制御部５は、光ファイバ１３０が所定の曲げ量以上の曲げ量で曲がっていると判断していることになる。
【００６８】
ステップＳ２１１において、制御部５は、表示部６へ指示信号を出力し、光ファイバ１３０の曲げ量が大きいことを報知するための文字や記号などを表示させる。その後制御はステップＳ２０１に戻る。一方、第２反射光ＲＬ２の強度が第２閾値より大きい場合（ステップＳ２１０：Ｎｏ）は、制御はステップＳ２０１に戻る。
【００６９】
第２制御例では、第１制御例と同様の各種効果が得られる。さらに、第２制御例では、第１反射光ＲＬ１の受光強度が第１閾値以下である場合に、光ファイバ１３０が折れていると判断する。しかし、第２反射光ＲＬ２の受光強度が第３閾値より大きい場合は、光ファイバ１３０が折れているという判断を取り消し、検知システム１０、カテーテル装置１００、またはレーザ焼灼装置１０００にシステム異常が発生していると判断する。光ファイバ１３０の曲げに鈍感な第１反射光ＲＬ１の受光強度が第１閾値以下であるにもかかわらず、光ファイバ１３０の曲げに敏感な第２反射光ＲＬ２の受光強度が第３閾値より大きいという状態は、光ファイバ１３０に屈曲または折損が生じている状態には該当せず、何らかのシステム異常が発生している状況と考えられる。したがって、第２制御例では、システム異常が発生していると判断し、オペレータに報知できる。判断を行うための参照設定値となる第３閾値は、たとえば第２閾値と同じ値に設定され、制御部５の記憶部に記憶されている。
【００７０】
（第３制御例）
図５は、第３制御例のフロー図である。この制御フローは、制御部５がＬＤ１ａ，１ｂへ駆動電流を供給し、第１試験光ＴＬ１および第２試験光ＴＬ２が出力されている状態で実行される。
【００７１】
はじめに、ステップＳ３０１において、制御部５は、第１反射光ＲＬ１の強度と第２反射光ＲＬ２の強度とを検知する。つづいて、ステップＳ３０２において、制御部５は、第２反射光ＲＬ２の強度が第２閾値以下であるか否かを判定する。第２反射光ＲＬ２の強度が第２閾値以下である場合（ステップＳ３０２：Ｙｅｓ）は、制御はステップＳ３０３に進む。このとき、制御部５は、光ファイバ１３０が所定の曲げ量以上の曲げ量で曲がっていると判断していることになる。
【００７２】
つづいて、ステップＳ３０３において、制御部５は、第１反射光ＲＬ１の強度が第１閾値以下であるか否かを判定する。第１反射光ＲＬ１の強度が第１閾値以下である場合（ステップＳ３０３：Ｙｅｓ）は、制御はステップＳ３０４に進む。このとき、制御部５は、光ファイバ１３０が所定の曲げ量以上の曲げ量で曲がっているという判断を取り消し、光ファイバ１３０が折れていると判断していることになる。
【００７３】
ステップＳ３０４において、制御部５は、レーザ光ＡＬが出力されているか否かを判定する。レーザ光ＡＬが出力されている場合（ステップＳ３０４：Ｙｅｓ）は、制御はステップＳ３０５に進む。ステップＳ３０５において、制御部５は、レーザ光源にレーザ光出力停止信号を出力する。レーザ光ＡＬが出力されていない場合（ステップＳ３０４：Ｎｏ）、またはステップＳ３０５の終了後は、制御はステップＳ３０６に進む。
【００７４】
ステップＳ３０６において、制御部５は、表示部６に、光ファイバ１３０の折損を報知するための文字や記号などを表示させる。その後制御は終了する。
【００７５】
なお、第１反射光ＲＬ１の強度が第１閾値より大きい場合（ステップＳ３０３：Ｎｏ）は、制御はステップＳ３０１に戻る。このとき、制御部５は、光ファイバ１３０が所定の曲げ量以上の曲げ量で曲がっているという判断を維持していることになる。
【００７６】
一方、第２反射光ＲＬ２の強度が第２閾値より大きい場合（ステップＳ３０２：Ｎｏ）は、制御はステップＳ３０７に進む。ステップＳ３０７において、制御部５は、第１反射光ＲＬ１の強度が第１閾値以下であるか否かを判定する。第１反射光ＲＬ１の強度が第１閾値以下である場合（ステップＳ３０７：Ｙｅｓ）は、制御はステップＳ３０８に進む。このとき、制御部５は、検知システム１０、カテーテル装置１００、またはレーザ焼灼装置１０００にシステム異常が発生していると判断していることになる。
【００７７】
ステップＳ３０８において、制御部５は、レーザ光ＡＬが出力されているか否かを判定する。レーザ光ＡＬが出力されている場合（ステップＳ３０８：Ｙｅｓ）は、制御はステップＳ３０９に進む。ステップＳ３０９において、制御部５は、レーザ光源にレーザ光出力停止信号を出力する。レーザ光ＡＬが出力されていない場合（ステップＳ３０８：Ｎｏ）、またはステップＳ３０９の終了後は、制御はステップＳ３１０に進む。
【００７８】
ステップＳ３１０において、制御部５は、表示部６へ指示信号を出力し、システム異常の発生を報知するための文字や記号などを表示させる。その後制御は終了する。
【００７９】
他方、第１反射光ＲＬ１の強度が第１閾値より大きい場合（ステップＳ３０７：Ｎｏ）は、制御はステップＳ３０１に戻る。このとき、制御部５は、光ファイバ１３０が折れていないと判断していることになる。
【００８０】
第３制御例では、第１制御例と同様の各種効果が得られる。さらに、第３制御例では、第２反射光ＲＬ２の受光強度が第２閾値より大きく、かつ第１反射光ＲＬ１の受光強度が第１閾値以下の場合は、検知システム１０、カテーテル装置１００、またはレーザ焼灼装置１０００にシステム異常が発生していると判断する。第２制御例の場合と同様に、第１反射光ＲＬ１の受光強度が第１閾値以下であるにもかかわらず、第２反射光ＲＬ２の受光強度が第２閾値より大きいという状態は、何らかのシステム異常が発生している状況と考えられる。したがって、第３制御例では、システム異常が発生していると判断し、オペレータに報知できる。
【００８１】
（第４制御例）
図６は、第４制御例のフロー図である。この制御フローは、制御部５がＬＤ１ａ、１ｂへ駆動電流を供給し、第１試験光ＴＬ１および第２試験光ＴＬ２が出力されている状態で実行される。
【００８２】
はじめに、ステップＳ４０１において、制御部５は、第１反射光ＲＬ１の強度と第２反射光ＲＬ２の強度とを検知する。つづいて、ステップＳ４０２において、制御部５は、第２反射光ＲＬ２の強度が急激に低下したか否かを判定する。第２反射光ＲＬ２の強度が急激に低下していないと判定した場合（ステップＳ４０２：Ｎｏ）は、制御はステップＳ４０１に戻る。第２反射光ＲＬ２の強度が急激に低下したと判定した場合（ステップＳ４０２：Ｙｅｓ）は、制御はステップＳ４０３に進む。
【００８３】
急激な低下の判定は、たとえば以下のように行う。すなわち、制御部５は、ステップＳ４０１における第１反射光ＲＬ１の強度と第２反射光ＲＬ２の強度との検知を所定の時間周期で繰り返し行い、１時間周期当たりの第２反射光ＲＬ２の強度の低下が所定量以上である場合に、第２反射光ＲＬ２の強度が急激に低下したと判定する。なお、第２反射光ＲＬ２の強度が急激に低下したと判定する基準は、これに限定されない。たとえば、カテーテル装置１００が、カテーテル部１１０の体内への挿入長さを検知する機構を備えている場合は、単位挿入長さ当たりの第２反射光ＲＬ２の強度の低下が所定量以上である場合に、第２反射光ＲＬ２の強度が急激に低下したと判定してもよい。
【００８４】
つづいて、ステップＳ４０３において、制御部５は、第１反射光ＲＬ１の強度が第１閾値以下であるか否かを判定する。第１反射光ＲＬ１の強度が第１閾値以下である場合（ステップＳ４０３：Ｙｅｓ）は、制御はステップＳ４０４に進む。このとき、制御部５は、光ファイバ１３０が折れていると判断していることになる。
【００８５】
ステップＳ４０４において、制御部５は、レーザ光ＡＬが出力されているか否かを判定する。レーザ光ＡＬが出力されている場合（ステップＳ４０４：Ｙｅｓ）は、制御はステップＳ４０５に進む。ステップＳ４０５において、制御部５は、レーザ光源にレーザ光出力停止信号を出力する。レーザ光ＡＬが出力されていない場合（ステップＳ４０４：Ｎｏ）、またはステップＳ４０５の終了後は、制御はステップＳ４０６に進む。
【００８６】
ステップＳ４０６において、制御部５は、表示部６に、光ファイバ１３０の折損を報知するための文字や記号などを表示させる。その後制御は終了する。
【００８７】
一方、第１反射光ＲＬ１の強度が第１閾値より大きい場合（ステップＳ４０３：Ｎｏ）は、制御はステップＳ４０１に戻る。このとき、制御部５は、光ファイバ１３０が曲がっていると判断していることになる。
【００８８】
第４制御例では、光ファイバ１３０の折損と屈曲とを区別して検知できるという効果が得られる。さらに、第４制御例では、光ファイバ１３０の折損箇所から意図せずレーザ光ＡＬが出力されることが防止されるという効果が得られる。また、光ファイバ１３０が折れていると判断した場合は、光ファイバ１３０の折損をレーザ焼灼装置１０００のオペレータに報知できるという効果が得られる。
【００８９】
なお、第３制御例や第４制御例に対して、第１制御例と同様に、第１反射光ＲＬ１の受光強度が第１閾値より大きく、かつ第２反射光ＲＬ２の強度が第２閾値以下である場合に、光ファイバ１３０が所定の曲げ量以上の曲げ量で曲がっていると判断し、これをオペレータに報知する制御を追加してもよい。
【００９０】
なお、第２、第３、第４制御例に対して、第１制御例と同様に、第１反射光ＲＬ１の受光強度が第１閾値より大きく、かつ第２反射光ＲＬ２の強度が屈曲閾値以下である場合に、光ファイバ１３０が異常状態の曲げ量で曲がっていると判断し、これをオペレータに報知する制御を追加してもよい。
【００９１】
また、第４制御例においては、第２反射光ＲＬ２の強度が急激に低下する一方、第１反射光ＲＬ１の強度が第１閾値より大きい場合、光ファイバ１３０が小さい曲げ半径で曲がっていることを示している。本検知システム１０を備えるカテーテル装置１００が血液に挿入するカテーテル装置である場合、この状況はカテーテル部１１０の先端部が、血管が急激に曲がっている部分に差し掛かっていることを示す。第２反射光ＲＬ２の低下の状態から曲げ量に関する情報が得られる。これにより、曲げ量に関する情報からカテーテル部１１０の先端部が位置する血管の形状に関する情報、すなわち光ファイバが挿入される対象の形状に関する情報を得ることもできる。
【００９２】
上記実施形態では、検知システムは２つの光源と２つの受光部とを備えているが、検知システムは３つ以上の光源と３つ以上の受光部とを備えていてもよい。この場合、各光源は互いに波長および光ファイバの曲げ損失が異なる試験光をそれぞれ出力する。反射体は光ファイバを伝搬した試験光のそれぞれを該光ファイバの先端部側で反射する。各受光部は反射体により反射された光である複数の反射光のそれぞれを基端部側で受光する。判断部は、受光部のそれぞれにおける反射光の受光強度に基づいて、光ファイバが曲がっているか折れているかを判断する。また、光源については、広帯域の光を出力する広帯域光源を用いてもよい。広帯域光源を用いる場合は、光源は１つでもよい。この場合、広帯域の光に含まれる複数の波長成分が複数の試験光に相当する。この場合、広帯域光源の使用に適した反射体やバンドパスフィルタを用いる。
【００９３】
たとえば、３つの光源と３つの受光部とを備え、３つの試験光（第１試験光、第２試験光、第３試験光、波長はそれぞれλ１、λ２、λ３とする）を用いる場合について説明する。波長についてλ１＜λ２＜λ３が成り立つとし、λ１が４００ｎｍ帯の中、λ２が１３００ｎｍ帯の中、λ３が１５００ｎｍ帯の中であるとする。この場合、第１試験光で光ファイバの折損を検知し、第２試験光で例えば曲げ径が１２ｍｍ以下の屈曲を検知し、第３試験光で例えば曲げ径が１６ｍｍ以下の屈曲を検知できる。このように、互いに波長および曲げ損失が異なる複数の試験光を用いることによって、より詳細に曲げ半径を推定できる。
【００９４】
また、上記実施形態では、反射体が１つのＦＢＧによって構成されているが、１つの反射膜によって構成されていてもよい。また、検知システムは、複数の反射体を備え、各反射体が複数の試験光のそれぞれを反射し、複数の反射光とするように構成してもよい。複数の反射体を備える場合、たとえば或る反射体が反射膜であり、他の反射体がＦＢＧであってもよい。このような反射膜は、光ファイバ１３０の先端部１３２や、ＦＢＧの端面に設けることができる。
【００９５】
ここで、反射体の反射率は大気とのフレネル反射よりも高いことが望ましい。例えば大気とのフレネル反射の１０倍すなわち４０％以上、試験光を反射する構成であること好ましい。反射体の反射帯域は特に制限されないが、光源として広帯域光源を用いる場合、少なくとも２つの波長成分を分離して反射できる必要がある。例えば反射体が複数のＦＢＧの場合、その反射バンド幅は中心反射波長に対してプラスマイナス１０ｎｍのバンド幅などが例として挙げられ、例えば１３００ｎｍ帯の一部と１５００ｎｍ帯の一部を反射する構成となるが、特にこれに限定されない。
【００９６】
また、レーザ光ＡＬの波長のみ透過し、その他の波長を反射するバンドパスフィルタのようなものを形成することで、複数の試験光を反射する反射体を構成してもよい。
【００９７】
また、上記実施形態では、第１受光部および第２受光部のいずれもがＰＤによって構成されているが、第１受光部および第２受光部の一方がＰＤによって構成されていてもよい。
【００９８】
また、上記実施形態では、カテーテル部１１０が誤った部分に挿入されている異常状態を検知するために、第２反射光の強度を用いて異常状態の検知を行っているが、第１反射光の強度を用いて異常状態の検知を行うようにしてもよい。
【００９９】
上記実施形態では、参照設定値を記憶部に記憶させているが、その他の方法によって、参照設定値を保持可能である。具体的に、制御部５の内部の回路において、ＡＤコンバータによる変換後の値を保持しておくことが可能である。また、制御部５の内部の回路において、折損を判断する閾値に相当する電圧などをアナログ回路的に印加しておくことにより、折れを判断する場合の参照設定値（第１閾値）を回路内に保持しておくことができる。また、曲げを判断する場合の参照設定値（屈曲閾値、第２閾値、第３閾値）を、テーブルまたは関数式として記憶部に記憶させておいてもよい。
【０１００】
上記実施形態においては、反射体としてＦＢＧ７を用いているが、反射体を反射膜から構成することも可能である。反射体を反射膜から構成した場合、実施形態による検知システム１が外部の環境に依存しなくなるという効果を奏する。また、屈折率が異なる物質である、気体中や血液などの液体中においても調整することなく使用することが可能である。また、反射体を反射膜以外から構成した場合、フレネル反射を利用することによって、検知システム１によって空気中か液体中かの判断が可能になるため、流体検知器として使用することが可能である。
【０１０１】
また、光ファイバ１３０として、コアが同心円状に設けられた光ファイバを用い、光ファイバ１３０の断面中央のコアにより構成されるシングルモード（ＳＭ）部分を伝播する光を曲げ量の検知に利用することにより、モード依存性が低減できるので、曲げ量の検知の精度を向上できる。一方、ＳＭ部分よりも径が大きいコアにより構成されるマルチモード（ＭＭ）部分から出射する光を焼灼光として利用できる。このように構成された光ファイバ１３０において、感度を重視する場合、折損の検知に用いる光を基底モード（ガウシアンモード）が支配的となるように設定し、曲げ量の検知に用いる光を例えばクラッドモードなどの高次モードが支配的となるように設定してもよい。高次モードは基底モードに対して曲げに敏感であるため、感度を向上できる。反対に、精度を重視する場合は、折損の検知に用いる光を高次モードが支配的となるように設定し、曲げ量の検知に用いる光を基底モードが支配的となるように設定することが好ましい。これにより、基底モードは、曲げ損失のモード依存性を考慮しなくてもよいため、精度を向上できる。
【０１０２】
また、上記実施形態により本発明が限定されるものではない。上述した各実施形態の構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【産業上の利用可能性】
【０１０３】
本発明に係る検知システム、カテーテル装置、およびレーザ焼灼装置は、カテーテルを患者の体内に挿入し、光ファイバの先端から焼灼用のレーザ光を出力させて患部などの対象箇所に向かって照射し、治療を行うのに有用である。
【符号の説明】
【０１０４】
１ａ，１ｂ  ＬＤ
２ａ，２ｂ  ＰＤ
３ａ，３ｂ，３ｃ  光合分波器
４ａ，４ｂ  バンドパスフィルタ
５  制御部
６  表示部
１０  検知システム
１００  カテーテル装置
１１０  カテーテル部
１２０  カテーテル本体
１３０  光ファイバ
１３１  基端部
１３２  先端部
１０００  レーザ焼灼装置
ＡＬ  レーザ光
ＲＬ１  第１反射光
ＲＬ２  第２反射光
ＴＬ１  第１試験光
ＴＬ２  第２試験光
【図１】
2019230713.tif 000003
【図２】
2019230713.tif 000004
【図３】
2019230713.tif 000005
【図４】
2019230713.tif 000006
【図５】
2019230713.tif 000007
【図６】
2019230713.tif 000008
【国際調査報告】
2019230713.tif 000009
2019230713.tif 000010
2019230713.tif 000011